(57)【要約】【課題】より楽しく、他の表示装置の表示部に描画することができる技術を提供する。【解決手段】電子機器５は、加速度センサ１２０と、表示部を備える表示装置と通信する通信部１５０と、前記加速度センサ１２０によって検出された加速度に応じて、前記通信部１５０を介して前記表示部への描画を制御する描画制御部１４０とを備える。前記描画制御部１４０は、前記加速度センサ１２０が前記表示部への接近方向の加速度を検出した場合には、飛沫を表現した飛沫画像の描画を制御する。【選択図】図５
2012155318.tif 000002
【特許請求の範囲】
【請求項１】
加速度センサを備える電子機器であって、
表示部を備える表示装置と通信する通信部と、
前記加速度センサによって検出された加速度に応じて、前記通信部を介して前記表示部への描画を制御する描画制御部と
を備え、
前記描画制御部は、
前記加速度センサが前記表示部への接近方向の加速度を検出した場合には、飛沫を表現した飛沫画像の描画を制御することを特徴とする電子機器。
【請求項２】
請求項１に記載の電子機器において、
前記描画制御部は、
前記接近方向の加速度に応じて前記飛沫画像の描画サイズを制御することを特徴とする電子機器。
【請求項３】
請求項１又は請求項２に記載の電子機器において、
前記描画制御部は、
前記表示部との距離に応じて前記飛沫画像の描画サイズを制御することを特徴とする電子機器。
【請求項４】
請求項１から請求項３の何れか１項に記載の電子機器において、
撮像部を更に備え、
前記通信部は、
前記撮像部が前記表示装置の前記表示部を撮像した画像から得られる前記表示装置への接続情報を用いて前記表示装置と接続し、通信することを特徴とする電子機器。
【請求項５】
表示装置に接続して前記表示装置の表示部に描画する電子機器における描画方法であって、
前記電子機器の加速度検出手段が、前記表示部への接近方向の加速度を検出し、
前記電子機器の描画制御手段が、前記接近方向の加速度が検出された場合に、飛沫を表現した飛沫画像の前記表示部への描画を制御することを特徴とする描画方法。
【発明の詳細な説明】
【技術分野】
【０００１】
本発明は、電子機器及び描画方法に関するものである。
【背景技術】
【０００２】
従来、街頭に設置され、提供者（例えば、広告代理業者）によって提供される情報（例えば、広告用の動画）を表示する表示装置が知られている（例えば、特許文献１参照）。
【先行技術文献】
【特許文献】
【０００３】
【特許文献１】特開２０１０−１８５９６２号公報
【発明の概要】
【発明が解決しようとする課題】
【０００４】
しかしながら、上述のような表示装置の場合、通行人は、常に、他者が用意した画像を視る側の立場で該表示装置と関わるのであって、自身が所望の画像を該表示装置に表示する立場で該表示装置を活用することができない。また、一般に、本体を振るなど移動させて他の装置の表示部に所望の絵を描く場合、本体の移動の軌跡に従った描画しかできないため、十分に楽しめないという問題がある。
本発明は、上記問題に鑑みてなされたものであり、より楽しく、他の表示装置の表示部に描画する電子機器及び描画方法を提供する。
【課題を解決するための手段】
【０００５】
上記問題を解決するために、本発明の一態様である電子機器は、加速度センサを備える電子機器であって、表示部を備える表示装置と通信する通信部と、前記加速度センサによって検出された加速度に応じて、前記通信部を介して前記表示部への描画を制御する描画制御部とを備え、前記描画制御部は、前記加速度センサが前記表示部への接近方向の加速度を検出した場合には、飛沫を表現した飛沫画像の描画を制御することを特徴とする。
【０００６】
上記電子機器において、前記描画制御部は、前記接近方向の加速度に応じて前記飛沫画像の描画サイズを制御してもよい。
【０００７】
上記表示装置において、前記描画制御部は、前記表示部との距離に応じて前記飛沫画像の描画サイズを制御してもよい。
【０００８】
上記表示装置は、撮像部を更に備え、前記通信部は、前記撮像部が前記表示装置の前記表示部を撮像した画像から得られる前記表示装置への接続情報と接続し、通信するようにしてもよい。
【０００９】
上記問題を解決するために、本発明の一態様である描画方法は、表示装置に接続して前記表示装置の表示部に描画する電子機器における描画方法であって、前記電子機器の加速度検出手段が、前記表示部への接近方向の加速度を検出し、前記電子機器の描画制御手段が、前記接近方向の加速度が検出された場合に、飛沫を表現した飛沫画像の前記表示部への描画を制御することを特徴とする。
【００１０】
上記問題を解決するために、本発明の一態様である表示装置は、表示部と、前記表示部に、人間に視認させる視認用画像と、人間に視認させない画像である非視認用画像とを表示させる制御部とを備える表示装置において、前記非視認用画像は、所定接続先への接続情報を示す接続画像であることを特徴とする。
【００１１】
上記表示装置において、前記表示部には、前記非視認用画像として、前記表示装置への接続情報を示す接続画像が表示され、前記表示装置への接続が開始されると、前記非視認用画像として、前記表示装置以外の接続先への接続情報を示す接続画像が表示されるようにしてもよい。
【００１２】
上記表示装置において、前記接続先又は前記表示装置以外の接続先は、前記表示装置によって宣伝を行う団体のサーバであってもよい。
【００１３】
上記表示装置において、前記団体のサーバは、前記視認用画像と前記非視認用画像とを区別して、前記表示装置へ送信するようにしてもよい。
【００１４】
上記問題を解決するために、本発明の他の態様である表示装置は、表示部と、前記表示部に、人間の視覚が応答可能な長さを有しないタイミングで、人間に視認させない画像である非視認用画像を表示させる制御部とを備える表示装置において、前記非視認用画像は、前記表示装置への接続情報を示す接続画像であることを特徴とする。
【００１５】
上記表示装置において、前記制御部は、前記表示部に、人間の視覚が応答可能な長さを有する第１表示期間の間、人間に視認させる画像である視認用画像を表示させるとともに、前記第１表示期間に続く期間のうち人間の視覚が応答可能な長さを有しない第２表示期間の間、前記非視認用画像を表示させるようにしてもよい。
【００１６】
上記表示装置において、前記接続画像は、二次元バーコードであってもよい。
【００１７】
上記表示装置において、前記接続画像を撮像した撮像装置からの接続要求に応じて、前記撮像装置と通信する通信部を更に備えるようにしてもよい。
【００１８】
上記問題を解決するために、本発明の他の態様である表示方法は、表示部を備える表示装置における表示方法であって、前記表示装置の制御手段が、前記表示部に、人間の視覚が応答可能な長さを有しないタイミングで、人間に視認させない画像である非視認用画像を表示させ、前記非視認用画像は、前記表示装置への接続情報を示す接続画像であることを特徴とする。
【００１９】
上記問題を解決するために、本発明の他の態様である接続方法は、表示装置と電子機器とを接続する接続方法であって、前記表示装置の表示手段が、人間の視覚が応答可能な長さを有しない表示期間の間、前記表示装置への接続情報を示す接続画像を表示し、前記電子機器の撮像手段が、前記表示手段によって表示された前記接続画像を撮像し、前記電子機器の通信手段が、前記撮像手段によって撮像された前記接続画像によって示される前記接続情報を用いて、前記表示装置に接続要求を送信することを特徴とする。
【００２０】
上記問題を解決するために、本発明の他の態様である表示装置は、不可視光を照射する発光部を有する表示部と、前記表示部を制御する制御部とを備える表示装置において、前記制御部は、人間に視認させない画像である非視認用画像を、前記不可視光を照射する前記発光部を用いて表示させ、前記非視認用画像は、前記表示装置への接続情報を示す接続画像であることを特徴とする。
【００２１】
上記表示装置において、前記表示部は、可視光を照射する発光部を更に有し、前記制御部は、人間に視認させる画像である視認用画像を、前記可視光を照射する発光部を用いて表示させるようにしてもよい。
【００２２】
上記表示装置において、前記接続画像は、二次元バーコードであってもよい。
【００２３】
上記表示装置において、前記非視認用画像は、前記不可視光に感度を有する撮像装置によって撮像される画像であってもよい。
【００２４】
上記表示装置において、前記接続画像を撮像した撮像装置からの接続要求に応じて、前記撮像装置と通信する通信部を更に備えるようにしてもよい。
【００２５】
上記表示装置において、前記接続画像を撮像した前記撮像装置からの接続要求に応じて、前記撮像装置と通信する通信部を更に備えるようにしてもよい。
【発明の効果】
【００２６】
本発明によれば、より楽しく、他の表示装置の表示部に描画することができるようになる。
【図面の簡単な説明】
【００２７】
【図１】第１の実施形態による画像表示システム１、及び、第２の実施形態による画像表示システム２の概略構成図である。
【図２】表示装置３の機能ブロック図の一例である。
【図３】表示装置３が生成する表示信号の一例である。
【図４】視認用画像及び非視認用画像の一例である。
【図５】電子機器５の機能ブロック図の一例である。
【図６】電子機器５による表示部３０の撮像に関する説明図である。
【図７】画像表示システム１の動作の一例を示すフローチャートである。
【図８】画像表示システム１の動作の一例を説明するための説明図である。
【図９】画像表示システム１の動作の一例を説明するための説明図である。
【図１０】飛沫画像の表示態様を説明するための説明図である。
【図１１】表示装置４の機能ブロック図の一例である。
【図１２】表示装置４の表示部６０を構成する画素６１の模式図である。
【図１３】表示装置４が生成する表示信号の一例である。
【図１４】電子機器５による表示部６０の撮像に関する説明図である。
【図１５】表示装置４が生成する表示信号の他の例である。
【図１６】電子機器５による表示部６０の撮像に関する説明図である。
【発明を実施するための形態】
【００２８】
（第１の実施形態）
以下、図面を参照しながら第１の実施形態について説明する。図１（ａ）は、第１の実施形態による画像表示システム１の概略構成図である。
【００２９】
画像表示システム１は、図１（ａ）に示すように、ネットワーク９を介して接続する、表示装置３、電子機器（撮像装置）５、及び、サーバ８から構成されている。ネットワーク９は、例えば、無線ＬＡＮ、携帯電話網、インターネットなどによって構成されている通信インフラである。
【００３０】
サーバ８は、表示装置３に種々の情報を送信する。例えば、サーバ８は、報知画像、表示装置３に接続するための接続情報を示す接続画像を表示装置３に送信する。報知画像とは、不特定多数の者に報知する情報を示す画像であって、例えば、広告画像、ニュース画像、天気予報画像などである。表示装置３に接続するための接続情報とは、表示装置３に接続するために必要となる、表示装置３のＵＲＩ（Uniform Resource Identifier）、通信プロトコルなどを示す情報である。接続画像の一例は、接続情報を表現するバーコード（例えば、二次元バーコード）、接続情報を記述した文字、記号の画像である。
なお、報知画像は、人間に視認させる画像である視認用画像（詳細は後述）の一例である。また、接続画像は、人間に視認させない画像である非視認用画像（詳細は後述）の一例である。
【００３１】
表示装置３は、例えば、街頭（屋内又は屋外）に設置されるＬＥＤディスプレイである。表示装置３は、サーバ８から視認用画像及び非視認用画像を受信して表示する。また、表示装置３は、電子機器５から視認用画像を受信して表示する。なお、表示装置３が電子機器５から受信して表示する視認用画像は、例えば、電子機器５のユーザの操作に応じた画像である。電子機器５のユーザの操作に応じた画像とは、電子機器５の本体（筐体）の移動の軌跡に従った（沿った）画像（詳細は後述）、又は、電子機器５の本体の移動の軌跡に従わない（沿わない）画像である。電子機器５の本体の移動の軌跡に従わない画像の一例は、飛沫画像（詳細は後述）である。なお、表示装置３に関する詳細は後述する。
【００３２】
電子機器５は、通信機能を備える携帯型の機器（図１は携帯電話を示しているが通話機能は必須ではない）である。電子機器５は、表示装置３に種々の情報を送信する。例えば、電子機器５は未接続の表示装置３に対し接続要求を送信し、接続中の表示装置３に対し切断要求を送信する。また例えば、電子機器５は、接続中の表示装置３に、ユーザの操作に応じた画像を描画するための描画情報を送信する。即ち、電子機器５は、電子機器５の本体の移動の軌跡に従った画像（詳細は後述）を描画するための描画情報、又は、飛沫画像（詳細は後述）を描画するための描画情報を送信する。なお、電子機器５に関する詳細は後述する。
【００３３】
図２は、表示装置３の機能ブロック図の一例である。図３は、表示装置３が生成する表示信号の一例である。図４は、視認用画像及び非視認用画像の一例である。
【００３４】
表示装置３は、図２に示すように、通信部１０、制御部２０、及び、表示部３０を備える。制御部２０は、変換部２２、タイミング制御部２４、振分部２６、及び、複数の駆動部２８（２８−１、…、２８−ｎ）を備える。
【００３５】
まず、表示部３０の構造を説明する。表示部３０は、図２に示すように、複数の画素３１（３１−１−１、…、３１−ｎ−ｍ）を備える。各画素３１は、複数の発光部から構成されている。具体的には、各画素３１は、赤色の発光ダイオード（赤色に発光する発光ダイオード、以下、同様）、緑色の発光ダイオード（緑色に発光する発光ダイオード、以下、同様）、青色の発光ダイオード（青色に発光する発光ダイオード、以下、同様）から構成されている。例えば、図２に示すように、画素３１−ｎ−ｍは、赤色の発光ダイオードであるＬＥＤｎ−ｍ−Ｒ、緑色の発光ダイオードであるＬＥＤｎ−ｍ−Ｇ、青色の発光ダイオードであるＬＥＤｎ−ｍ−Ｂから構成されている。なお、表示部３０の機能、動作などは後述する。
【００３６】
通信部１０は、サーバ８又は電子機器５から種々の情報を受信する。例えば、通信部１０は、サーバ８から、視認用画像として報知画像、非視認用画像として自表示装置３に接続するための接続情報を示す接続画像を受信する。また例えば、通信部１０は、電子機器５から接続要求、切断要求を受信する。また例えば、通信部１０は、電子機器５から、視認用画像として、電子機器５の本体の移動の軌跡に従った画像（詳細は後述）を描画するための描画情報、及び、飛沫画像（詳細は後述）を描画するための描画情報を受信する。
【００３７】
通信部１０は、サーバ８から視認用画像又は非視認用画像を受信した場合、当該視認用画像又は非視認用画像を変換部２２に出力する。また、通信部１０は、電子機器５から視認用画像を受信した場合、当該視認用画像を変換部２２に出力する。また、通信部１０は、電子機器５から接続要求を受信した場合、接続を許可するときは接続応答を電子機器５に送信する。また、通信部１０は、電子機器５から切断要求を受信した場合、切断応答を電子機器５に送信する。
【００３８】
変換部２２は、通信部１０から視認用画像及び非視認用画像を取得する。視認用画像及び非視認用画像を取得した変換部２２は、人間の視覚が応答可能な長さを有する時間（第１表示期間とも称する）、視認用画像を表示部３０に表示させ、人間の視覚が応答可能な長さを有しない時間（第２表示期間とも称する）、非視認用画像を表示部３０に表示させる表示信号（表示部３０への出力信号）を生成する。具体的には、変換部２２は、タイミング制御部２４の制御に従って、第１表示期間の表示信号を、視認用画像を表現した表示信号とし、第２表示期間の表示信号を、非視認用画像を表現する表示信号とする、表示信号を生成する。
【００３９】
例えば、変換部２２は、図３に示すように、３０分の１秒毎の６０分の１秒間の表示信号（ＡＮ：Ｎ＝１、…Ｋ）を、視認用画像を表現した表示信号とし、３０分の１秒毎の２４０分の１秒間の表示信号（ＢＮ：Ｎ＝１、…Ｋ）を、非視認用画像を表現する表示信号とする、表示信号を生成する。図３において、３０分の１秒は、１フレームの時間の一例である。Ａ１、…、Ａｋの夫々は、視認用画像の１コマ分の表示信号である。Ｂ１、…、Ｂｋの夫々は、非視認用画像の１コマ分の表示信号である。３０分の１秒毎の６０分の１秒間は、第１表示期間の一例である。３０分の１秒毎の２４０分の１秒間は、第２表示期間の一例である。図３の例では、１フレームの時間のうちの第１表示期間以外の期間（ブランク期間）の一部の時間を第２表示期間としている。変換部２２は、生成した表示信号を振分部２６に出力する。
【００４０】
なお、図３に示す例は、変換部２２が視認用画像と非視認用画像の両方を通信部１０から取得した場合に生成する表示信号を示しているが、変換部２２は、視認用画像のみを取得した場合には、視認用画像を表現した表示信号（第１表示期間の表示信号）のみを生成し、非視認用画像のみを取得した場合には、非視認用画像を表現した表示信号（第２表示期間の表示信号）のみを生成する。
【００４１】
なお、上述の如く、変換部２２は、第１表示期間の表示信号を、視認用画像を表現した表示信号とし、第２表示期間の表示信号を、非視認用画像を表現した表示信号とするが、第１表示期間の表示信号に視認用画像を表現した表示信号を割り振り、第２表示期間の表示信号に非視認用画像を表現した表示信号を割り振る制御には、種々の方法が考えられる。一例は、非視認用画像に非視認用画像である旨の識別情報を付加しておけば、変換部２２は、通信部１０から取得した画像が非視認用画像であるか否かを判別できるため、タイミング制御部２４の制御（非視認用画像用のタイミング）に従って、第１表示期間の表示信号を、視認用画像を表現した表示信号とし、第２表示期間の表示信号を、非視認用画像を表現した表示信号とすることができる。
【００４２】
タイミング制御部２４は、変換部２２による視認用画像を表現する表示信号及び非視認用画像を表現する表示信号の生成タイミングを制御する。具体的には、タイミング制御部２４は、第１表示期間の表示信号を、視認用画像を表現した表示信号とし、第２表示期間の表示信号を、非視認用画像を表現する表示信号とするためのタイミング情報を変換部２２に出力し、上記生成タイミングを制御する。例えば、タイミング制御部２４が、３０分の１秒毎の先頭から開始する６０分の１秒間の表示信号を、視認用画像を表現する表示信号とし、３０分の１秒毎の２４０分の５．５秒（６０分の１秒＋２４０分の１．５秒）から開始する２４０分の１秒間の表示信号を、非視認用画像を表現する表示信号とするためのタイミング情報を変換部２２に出力した場合、変換部２２は、図３に示す表示信号を生成する。
【００４３】
振分部２６は、シフトレジスタであって、変換部２２から表示信号を取得し、変換部２２から取得した表示信号を各駆動部２８に振り分けて出力する。つまり、振分部２６は、各画素３１に出力すべき表示信号を、各画素３１を駆動させる各駆動部２８に振り分けて出力する。図２に示す例では、振分部２６は、画素３１−１−１〜画素３１−１−ｍに出力すべき表示信号を駆動部２８−１に出力し、…、画素３１−ｎ−１〜画素３１−ｎ−ｍに出力すべき表示信号を駆動部２８−ｎに出力する。
【００４４】
各駆動部２８は、表示部３０を制御するドライバＩＣであって、表示部３０が備える各画素３１を駆動する。具体的には、各駆動部２８は、振分部２６から取得した表示信号を各画素３１に出力する。図２に示す例では、駆動部２８−１は、振分部２６から取得した表示信号を画素３１−１−１〜画素３１−１−ｍに出力し、…、駆動部２８−ｎは、振分部２６から取得した表示信号を画素３１−ｎ−１〜画素３１−ｎ−ｍに出力する。
【００４５】
表示部３０は、複数の画素３１を用いて、サーバ８又は電子機器５から送信された視認用画像又は非視認用画像を表示する。つまり、表示部３０が備える各画素３１は、各駆動部２８から、視認用画像を表現する表示信号、又は、非視認用画像を表現する表示信号を取得し、表示信号に応じて発光する。
【００４６】
例えば、表示部３０は、図４（ａ）に示すように、サーバ８から送信された天気予報画像を視認用画像として表示する。また例えば、表示部３０は、図４（ｂ）〜（ｅ）に示すように、サーバ８から送信された接続画像である二次元バーコードを非視認用画像として表示する。図４（ｂ）は表示部３０の表示面の略全域に二次元バーコードを表示する表示例、図４（ｃ）は表示部３０の表示面の中心領域に小さな二次元バーコードを表示する表示例、図４（ｄ）は表示部３０の表示面の中心領域以外に二次元バーコードを表示する表示例、図４（ｅ）は表示部３０の表示面に同一の二次元バーコードを複数表示する表示例である。但し、上述したように、非視認用画像の表示時間は、人間の視覚が応答可能な長さを有しない時間（第２表示期間）であるため、目視では非視認用画像である二次元バーコードを認識することができない。
【００４７】
また例えば、表示部３０は、図４（ｆ）に示すように、電子機器５から送信された電子機器５の本体の移動の軌跡に従った画像（詳細は後述）を視認用画像として表示する。また例えば、表示部３０は、図４（ｇ）（ｈ）に示すように、電子機器５から送信された飛沫画像（詳細は後述）を視認用画像として表示する。なお、図４（ｇ）は飛沫画像単独の表示例、図４（ｈ）は図４（ｆ）の画像に重畳した表示例である。なお、飛沫画像（詳細は後述）には種々の表示態様があるが、詳細は後述する。
【００４８】
図５は、電子機器５の機能ブロック図の一例である。図６は、電子機器５による表示部３０の撮像に関する説明図である。電子機器５は、図５に示すように、表示・操作受付部１００、撮像部１１０、加速度センサ１２０、描画制御部１４０、及び、通信部１５０を備える。また、電子機器５は、撮像画像に二次元バーコードが撮像されているか否かを判断し、二次元バーコードによって示される情報を解読（復号）する解読部（非図示）を備える。なお、図５において破線にて示す距離測定部１３０については後述する。
【００４９】
描画制御部１４０は、移動量算出部１４２、描画情報生成部１４４、現在位置記憶部１４６、及び、飛沫画像情報記憶部１４８を備え、通信部１５０を介して接続中の表示装置３の表示部３０に対する描画を制御する。例えば、描画制御部１４０は、加速度センサ１２０が表示部３０への接近方向以外の加速度を検出した場合、当該加速度に基づいて算出した電子機器５の本体の軌跡に従った画像（詳細は後述）を描画するための描画情報を生成し、当該描画情報を表示装置３に通信部１５０を介して送信することによって、表示部３０への描画を制御する。また例えば、描画制御部１４０は、加速度センサ１２０が表示部３０への接近方向の加速度を検出した場合には、飛沫画像（詳細は後述）を描画するための描画情報を生成し、当該描画情報を表示装置３に通信部１５０を介して送信することによって、表示部３０への描画を制御する。なお、移動量算出部１４２、描画情報生成部１４４、現在位置記憶部１４６、及び、飛沫画像情報記憶部１４８の詳細は後述する。
【００５０】
表示・操作受付部１００は、液晶タッチディスプレイであって、ユーザインターフェースを提供する。表示・操作受付部１００は、撮像部１１０によって撮像された撮像画像をユーザに表示する。また、表示・操作受付部１００は、表示装置３に接続するための接続操作をユーザから受け付ける。表示・操作受付部１００は、上記接続操作をユーザから受け付けた場合には、表示装置３に接続要求を送信すべき旨を通信部１５０に通知する。
例えば、表示・操作受付部１００は、撮像部１１０によって撮像された撮像画像が表示装置３に接続するための接続情報を示す二次元バーコードであったときは、当該二次元バーコードを表示し、更に、ユーザからの上記接続操作を受け付けた場合に、表示装置３に接続要求を送信すべき旨を、解読部（非図示）によって解読された接続情報とともに通信部１５０に通知する。なお、表示・操作受付部１００は、二次元バーコードを表示するときに、解読部（非図示）によって解読された接続情報を表示してもよい。
【００５１】
また、表示・操作受付部１００は、表示装置３との接続を切断するための切断操作をユーザから受け付ける。表示・操作受付部１００は、上記切断操作をユーザからの受け付けた場合には、表示装置３に切断要求を送信すべき旨を通信部１５０に通知する。
【００５２】
また、表示・操作受付部１００は、表示装置３に接続要求を送信すべき旨を通信部１５０に通知した後に、通信部１５から接続応答を取得した場合、描画モードに設定された旨を表示するとともに、加速度センサ１２０に描画モードに設定された旨を通知する。同様に、表示・操作受付部１００は、表示装置３に切断要求を送信すべき旨を通信部１５０に通知した後に、通信部１５から切断応答を取得した場合、描画モードでないモード（以下、通常モードという）に設定された旨を表示するとともに、加速度センサ１２０に通常モードに設定された旨を通知する。
【００５３】
撮像部１１０は、被写体を撮像するカメラユニットであって連写（連続撮像）機能を備える。なお、連写機能は、例えば、表示・操作受付部１００を介したユーザの明示の操作によって発動し、本実施形態では、連写枚数４枚（露光時間は各１２０分の１秒）であるものとする。
【００５４】
撮像部１１０は、ユーザの指示に応じて被写体を撮像（１枚又は４枚連写）したときは、撮像画像を表示・操作受付部１００に出力する。例えば、撮像部１１０は、図６（ａ）に示すような表示信号に基づく画像（視認用画像である天気予報画像、及び、非視認用画像である二次元バーコード）を表示中の表示装置３の表示部３０を連写したときは、図６（ｂ）又は図６（ｃ）に示すような４枚の撮像画像を表示・操作受付部１００に出力する。即ち、表示部３０における天気予報画像及び二次元バーコードの表示タイミング、並びに、撮像部１１０における露光タイミングから、例えば、連写Ｐでは、図６（ｂ）に示すように、天気予報画像が１枚目の撮像画像Ｐ１、２枚目の撮像画像Ｐ２、及び、４枚目の撮像画像Ｐ４において撮像され、二次元バーコードが３枚目の撮像画像Ｐ３において撮像される。また、連写Ｑでは、図６（ｃ）に示すように、二次元バーコードが１枚目の撮像画像Ｑ１において撮像され、天気予報画像が２枚目の撮像画像Ｑ２、３枚目の撮像画像Ｑ３、及び、４枚目の撮像画像Ｑ４において撮像される。
【００５５】
つまり、電子機器５を用いて表示部３０を連写することによって、目視では認識不要な非視認用画像を認識することができるようになる。より詳細には、表示部３０における視認用画像及び非視認用画像の表示タイミング、並びに、撮像部１１０における露光タイミングを適切に設定すれば、連写された複数枚の撮像画像のうちの少なくも１枚は、非視認用画像のみを撮像した撮像画像（上述の撮像画像Ｐ３、撮像画像Ｑ１）になるため、非視認用画像を確実に（即ち、視認用画像と重畳することなく）認識することができるようになる。つまり、電子機器５は、表示装置３への接続情報を得ることができるようになる。
【００５６】
連写された複数枚の撮像画像のうちの少なくも１枚が、非視認用画像のみを撮像した撮像画像となるような設定について説明する。例えば、表示装置３において、ブランク期間の真中を中心とする時間に第２表示期間を設定した場合、電子機器５において、ブランク期間の半分以下の時間となるように各露光時間を設定し、各露光時間の合計が１フレームの時間以上となるように連写枚数を設定すればよい。例えば、図６（ａ）に示す例では、表示装置３において、６０分の１秒間であるブランク期間の真中であるブランク期間の開始から１２０分の１秒後を中心とする時間（ブランク期間の開始タイミングから２４０分の１．５秒後〜同２４０分の２．５秒後の間の２４０分の１秒間）に第２表示期間を設定しているため、電子機器５において、各露光時間を１２０分の１秒に設定し、連写枚数４枚を設定している。
【００５７】
図５に戻り、加速度センサ１２０は、電子機器５の本体に加えられた加速度を検出する。例えば、加速度センサ１２０は、描画モードに設定されている間（表示・操作受付部１００から描画モードに設定された旨が通知された後、通常モードに設定された旨が通知される迄の間）、電子機器５の本体に加えられた加速度を検出する。加速度センサ１２０は、電子機器５の本体に加えられた加速度を検出した場合、検出した加速度を示す加速度情報を移動量算出部１４２に出力する。
【００５８】
移動量算出部１４２は、加速度センサ１２０から加速度情報を取得する。移動量算出部１４２は、加速度センサ１２０から加速度情報を取得した場合、当該加速度情報に基づいて、電子機器５の本体の移動量（方向、大きさ）を算出する。移動量算出部１４２は、電子機器５の本体の移動量を算出した場合、算出した移動量を示す移動量情報を描画情報生成部１４４に出力する。
【００５９】
描画情報生成部１４４は、移動量算出部１４２から移動量情報を取得する。描画情報生成部１４４は、移動量算出部１４２から移動量情報を取得した場合、接続中の表示装置３の表示部３０に表示させる描画情報を生成する。
【００６０】
具体的には、描画情報生成部１４４は、移動量算出部１４２から表示部３０への接近方向以外の移動量情報を取得した場合、移動量情報から得られる電子機器５の本体の移動の軌跡に従った画像を描画するための描画情報（例えば、曲線、直線、塗潰し領域、色などを規定する情報）を生成する。より詳細には、描画情報生成部１４４は、移動量情報から得られる電子機器５の本体の移動の軌跡に従った画像を描画するための描画情報であって、接続中の表示装置３の表示部３０における現在の指示位置（カーソル位置）を起点とする描画情報を生成する。
なお、接続中の表示装置３の表示部３０における現在の指示位置は、現在位置記憶部１４６に記憶されている（詳細は後述）。
【００６１】
また、描画情報生成部１４４は、移動量算出部１４２から表示部３０への接近方向の移動量情報を取得した場合、飛沫を表現した飛沫画像を描画するための描画情報（例えば、曲線、直線、塗潰し領域、色などを規定する情報）を生成する。具体的には、描画情報生成部１４４は、飛沫画像情報記憶部１４８に記憶されている、飛沫画像を描画するための描画情報の雛形を加工（例えば、平行移動、回転）し、接続中の表示装置３の表示部３０における現在の指示位置を中心とする飛沫画像を描画する描画情報を生成する。なお、表示部３０への接近方向の一例は、表示部３０に向けて電子機器５の本体を振り下ろす方向、表示部３０に向けて電子機器５の本体を突き出す方向などである。
【００６２】
なお、描画情報生成部１４４は、上記接近方向の移動量（加速度）を考慮して、飛沫画像を描画する描画情報を生成してもよい。つまり、描画情報生成部１４４は、移動量が大きれれば大きいほど大きいサイズの飛沫画像を描画する描画情報を生成する。具体的には、描画情報生成部１４４は、飛沫画像情報記憶部１４８に記憶されている、飛沫画像を描画するための描画情報の雛形を加工（例えば、平行移動、回転、拡大、縮小）し、接続中の表示装置３の表示部３０における現在の指示位置を中心とし上記接近方向の移動量に応じた大きさの飛沫画像を描画する描画情報を生成する。
【００６３】
描画情報生成部１４４は、接続中の表示装置３の表示部３０に表示させる描画情報（電子機器５の本体の移動の軌跡に従った画像を描画するための描画情報、又は、飛沫画像を描画するための描画情報）を生成した場合、生成した描画情報を通信部１５０に出力する。
【００６４】
現在位置記憶部１４６は、接続中の表示装置３の表示部３０における現在の指示位置を記憶する。なお、現在位置記憶部１４６が記憶する現在の指示位置は、表示装置３に接続したときに初期位置（例えば、表示面の中央）が設定され、描画情報生成部１４４が、移動量算出部１４２から移動量情報を取得する都度、描画情報生成部１４４によって更新される。
【００６５】
飛沫画像情報記憶部１４８は、飛沫画像を描画するための描画情報の雛形（例えば、曲線、直線、塗潰し領域、色などを規定する情報）を記憶する。
【００６６】
通信部１５０は、表示・操作受付部１００から、表示装置３に接続要求を送信すべき旨の通知を取得する。例えば、通信部１５０は、表示・操作受付部１００から、撮像部１１０によって撮像された二次元バーコードによって示されていた接続情報とともに、表示装置３に接続要求を送信すべき旨の通知を取得する。通信部１５０は、表示・操作受付部１００から表示装置３に接続要求を送信すべき旨の通知を取得した場合、表示装置３に接続要求を送信する。例えば、通信部１５０は、表示・操作受付部１００から取得した接続情報に従って、表示装置３に接続要求を送信する。
【００６７】
また、通信部１５０は、接続要求を送信した表示装置３から接続応答を受信する。通信部１５０は、表示装置３から接続応答を受信した場合、当該接続応答を表示・操作受付部１００に出力する。
【００６８】
また、通信部１５０は、表示・操作受付部１００から、表示装置３に切断要求を送信すべき旨の通知を取得する。通信部１５０は、表示・操作受付部１００から表示装置３に切断要求を送信すべき旨の通知を取得した場合、表示装置３に切断要求を送信する。
【００６９】
また、通信部１５０は、切断要求を送信した表示装置３から切断応答を受信する。通信部１５０は、表示装置３から切断応答を受信した場合、当該切断応答を表示・操作受付部１００に出力する。
【００７０】
また、通信部１５０は、描画情報生成部１４４から接続中の表示装置３の表示部３０に表示させる描画情報（電子機器５の本体の移動の軌跡に従った画像を描画するための描画情報、又は、飛沫画像を描画するための描画情報）を取得する。描画情報を取得した通信部１５０は、当該描画情報を表示装置３に送信する。
【００７１】
なお、通信部１５０が、電子機器５の本体の移動の軌跡に従った画像を描画するための描画情報を描画情報生成部１４４から取得し、表示装置３に送信した場合、表示装置３の表示部３０には、例えば、図４（ｆ）に示すような画像が視認用画像として表示される。
また、通信部１５０が、飛沫画像を描画するための描画情報を描画情報生成部１４４から取得し、表示装置３に送信した場合、表示装置３の表示部３０には、例えば、図４（ｇ）（ｆ）に示すような画像が視認用画像として表示される。
【００７２】
以下、画像表示システム１の処理の流れを説明する。図７は、画像表示システム１の動作の一例を示すフローチャートである。図８及び図９は、画像表示システム１の動作の一例を説明するための説明図である。なお、図７の左側のフローチャートは表示装置３の動作を表し、図７の右側のフローチャートは電子機器５の動作を表している。なお、図７に示すフローチャートの開示時において、表示部３０における視認用画像及び非視認用画像の表示タイミング、並びに、撮像部１１０の露光タイミングは適切されているものとする。また、図７において、左右のフローチャートの間の破線は、左右のフローチャートの連係を表し、右側のフローチャートの一部を囲む一点鎖線の矩形は、電子機器５が描画モードに設定されている旨を表している。
【００７３】
図７の左側のフローチャートおいて、表示装置３は、サーバ８から、視認用画像である天気予報画像、及び、非視認用画像である表示装置３に接続するための二次元バーコードを受信する（ステップＳ１０）。表示装置３は、例えば、図８（ａ）に示すように、サーバ８から受信した天気予報画像を視認用画像として表示部３０に表示し、サーバ８から受信した二次元バーコードを非視認用画像として表示部３０に表示する（ステップＳ１２）。但し、非視認用画像である二次元バーコードの表示時間は、人間の視覚が応答可能な長さを有しない時間である第２表示期間（図８（ａ）の例では３０分の１秒毎の２４０分の１秒間）であるため、目視では認識することができない。
【００７４】
ステップＳ１２に続いて、表示装置３は、電子機器５から接続要求を受信したか否かを判断する（ステップＳ１４）。ステップＳ１４において、表示装置３は、電子機器５から接続要求を受信していないと判断した場合（ステップＳ１４：Ｎｏ）、表示装置３のフローチャート（左側のフローチャート）は終了し、ステップＳ１０から再スタートする。
【００７５】
図７の右側のフローチャートおいて、電子機器５は、二次元バーコードを取得（撮像）したか否かを判断する（ステップＳ４０）。なお、上述の如く、表示部３０における視認用画像及び非視認用画像の表示タイミング、並びに、撮像部１１０の露光タイミングは適切されているため、ユーザが、図８（ｂ）に示すように、視認用画像である天気予報画像と非視認用画像である二次元バーコードとを表示している表示部３０を撮像（連写）した場合には、電子機器５は、例えば、図８（ｃ）に示すように、撮像画像１〜４の４枚の撮像画像のうちの少なくとも１枚（撮像画像３）に二次元バーコードが撮像されるため、当該一枚（撮像画像３）からら二次元バーコードを取得可能である。
【００７６】
ステップＳ４０において、電子機器５は、二次元バーコードを取得していないと判断した場合（ステップＳ４０：Ｎｏ）、つまり、ユーザが表示部３０を撮像（連写）しなかった場合、電子機器５のフローチャート（右側のフローチャート）は終了し、ステップＳ４０から再スタートする。
【００７７】
一方、ステップＳ４０において、電子機器５は、二次元バーコードを取得したと判断した場合（ステップＳ４０：Ｙｅｓ）、つまり、ユーザが表示部３０を撮像（連写）した場合、電子機器５は、当該二次元バーコードを表示・操作受付部１００に表示する（ステップＳ４２）。
【００７８】
ステップＳ４２に続いて、電子機器５は、図９（ａ）に示すように、ユーザから接続操作を受け付けたか否かを判断する（ステップＳ４４）。ステップＳ４４において、電子機器５は、ユーザから接続操作を受け付けていないと判断した場合（ステップＳ４４：Ｎｏ）、即ち、二次元バーコードの表示中に接続操作以外の操作（例えば、キャンセル操作）などを受け付けたと判断した場合、電子機器５のフローチャート（右側のフローチャート）は終了し、ステップＳ４０から再スタートする。
【００７９】
一方、ステップＳ４４において、電子機器５は、ユーザから接続操作を受け付けたと判断した場合（ステップＳ４４：Ｙｅｓ）、電子機器５は、二次元バーコードによって示されていた接続情報に従って、表示装置３に接続要求を送信する（ステップＳ４６）。
【００８０】
図７の左側のフローチャートのステップＳ１４において、表示装置３は、電子機器５から接続要求を受信したと判断した場合（ステップＳ１４：Ｙｅｓ）、表示装置３は、接続応答を電子機器５に送信する（ステップＳ１６）。
【００８１】
図７の右側のフローチャートのステップＳ４６において、表示装置３に接続要求を送信した電子機器５は、表示装置３から接続応答を受信し、通常モードから描画モードに移行する。描画モードに移行した電子機器５は、加速度センサ１２０によって、電子機器５の本体に加えられた加速度であって表示部３０への接近方向以外の加速度を検出したか否かを判断する（ステップＳ４８）。なお、図９（ｂ）に示すように、ユーザが電子機器５を上下左右に振った場合、電子機器５は、表示部３０への接近方向以外の加速度を検出したと判断する。
【００８２】
ステップＳ４８において、電子機器５は、電子機器５の本体に加えられた加速度であって表示部３０への接近方向以外の加速度を検出したと判断した場合（ステップＳ４８：Ｙｅｓ）、電子機器５は、電子機器５の本体の移動の軌跡に従った画像を描画するための描画情報を視認用画像として表示装置３に送信する（ステップＳ５０）。一方、ステップＳ４８において、電子機器５は、電子機器５の本体に加えられた加速度であって表示部３０への接近方向以外の加速度を検出していないと判断した場合（ステップＳ４８：Ｎｏ）、上記ステップＳ５０を飛ばしてステップＳ５２に進む。
【００８３】
ステップＳ５０又はステップＳ４８（Ｎｏ）に続いて、電子機器５は、加速度センサ１２０によって、電子機器５の本体に加えられた加速度であって表示部３０への接近方向の加速度を検出したか否かを判断する（ステップＳ５２）。例えば、図９（ｃ）に示すように、ユーザが電子機器５を表示部３０側に振り下ろした場合、電子機器５は、表示部３０への接近方向の加速度を検出したと判断する。
【００８４】
ステップＳ５２において、電子機器５は、電子機器５の本体に加えられた加速度であって表示部３０への接近方向の加速度を検出したと判断した場合（ステップＳ５２：Ｙｅｓ）、電子機器５は、飛沫画像を描画するための描画情報を視認用画像として表示装置３に送信する（ステップＳ５４）。一方、ステップＳ５２において、電子機器５は、電子機器５の本体に加えられた加速度であって表示部３０への接近方向の加速度を検出していないと判断した場合（ステップＳ５２：Ｎｏ）、上記ステップＳ５４を飛ばしてステップＳ５６に進む。
【００８５】
ステップＳ５４又はステップＳ５２（Ｎｏ）に続いて、電子機器５は、ユーザから切断操作を受け付けたか否かを判断する（ステップＳ５６）。ステップＳ５６において、電子機器５は、ユーザから切断操作を受け付けていないと判断した場合（ステップＳ５６：Ｎｏ）、ステップＳ４８に戻る。
【００８６】
一方、ステップＳ５６において、電子機器５は、ユーザから切断操作を受け付けたと判断した場合（ステップＳ５６：Ｙｅｓ）、電子機器５は、表示装置３に切断要求を送信する（ステップＳ５８）。切断要求を送信した電子機器５は、表示装置３から切断応答を受信し、描画モードから通常モードに移行し、電子機器５のフローチャート（右側のフローチャート）は終了し、ステップＳ４０から再スタートする。
【００８７】
図７の左側のフローチャートのステップＳ１６において、電子機器５に接続応答を送信した表示装置３は、電子機器５から、描画情報（電子機器５の本体の移動の軌跡に従った画像を描画するための描画情報、又は、飛沫画像を描画するための描画情報）を受信したか否かを判断する（ステップＳ１８）。
【００８８】
ステップＳ１８において、表示装置３は、電子機器５から描画情報を受信したと判断した場合（ステップＳ１８：Ｙｅｓ）、表示装置３は、電子機器５から受信した描画情報に基づく画像を視認用画像として表示部３０に表示する。従って、例えば、図９（ｂ）に示すようにユーザが電子機器５を上下左右に振った場合には、電子機器５の本体の上下左右の移動の軌跡に従った画像が視認用画像として表示部３０に表示され、その後、図９（ｃ）に示すようにユーザが電子機器５を表示部３０側に振り下ろした場合には、飛沫画像が視認用画像として表示部３０に表示される。
【００８９】
一方、ステップＳ１８において、表示装置３は、電子機器５から描画情報を受信していないと判断した場合（ステップＳ１８：Ｎｏ）、上記ステップＳ２０を飛ばしてステップＳ２２に進む。
【００９０】
ステップＳ２０又はステップＳ１８（Ｎｏ）に続いて、表示装置３は、電子機器５から切断要求を受信したか否かを判断する（ステップＳ２２）。ステップＳ２２において、表示装置３は、電子機器５から切断要求を受信していないと判断した場合（ステップＳ２２：Ｎｏ）、ステップＳ１８に戻る。
【００９１】
一方、ステップＳ２２において、表示装置３は、電子機器５から切断要求を受信したと判断した場合（ステップＳ２２：Ｙｅｓ）、表示装置３は、切断応答を電子機器５に送信し（ステップＳ２４）、表示装置３のフローチャート（左側のフローチャート）は終了し、ステップＳ１０から再スタートする。
【００９２】
図１０は、飛沫画像の表示態様の一例を説明するための説明図である。図１０（ａ）は、電子機器５の本体の移動の軌跡に従った画像の一例である。つまり、電子機器５と接続中の表示装置３は、当該電子機器５から本体の移動の軌跡に従った画像を描画するための描画情報を取得した場合、当該描画情報に基づく画像として、図１０（ａ）に示すような画像を表示部３０に表示する。なお、図１０（ａ）中の一点鎖線は、説明の便宜上、表示部３０の左側領域、中央領域、右側領域を表したものである。
【００９３】
図１０（ｂ）は、表示部３０に図１０（ａ）に示す画像が表示され、かつ、現在の指示位置（カーソル位置）が中央の領域内に存在しているときに、ユーザが、電子機器５の本体を表示部３０に向かって真っ直ぐに大きく振り下ろした場合の表示部３０の表示例である。つまり、現在の指示位置が中央の領域内に存在しているときに、電子機器５の本体が表示部３０に向かって真っ直ぐに大きく振り下ろされた場合、電子機器５の描画情報生成部１４４は、中央の領域（中央の領域の中心位置）を中心とし、真っ直ぐ、かつ、大きな飛沫画像の描画情報を生成する。なお、真っ直ぐな飛沫画像とは、飛沫画像情報記憶部１４８に記憶されている雛形を回転させていない飛沫画像である。なお、図１０（ｂ）の矢印の大きさ、向きは、電子機器５の本体に加えられた加速度の大きさ、向きを表している（図１０（ｃ）〜図１０（ｇ）も同様）。また、図１０（ｂ）中の破線は、説明の便宜上、飛沫画像の位置、傾きを表したものである（図１０（ｃ）〜図１０（ｇ）も同様）。
【００９４】
図１０（ｃ）は、表示部３０に図１０（ａ）に示す画像が表示され、かつ、現在の指示位置（カーソル位置）が中央の領域内に存在しているときに、ユーザが、電子機器５の本体を表示部３０に向かって真っ直ぐに小さく振り下ろした場合の表示部３０の表示例である。つまり、現在の指示位置が中央の領域内に存在しているときに、電子機器５の本体が表示部３０に向かって真っ直ぐに小さく振り下ろされた場合、電子機器５の描画情報生成部１４４は、中央の領域を中心とし、真っ直ぐ、かつ、小さな飛沫画像の描画情報を生成する。
【００９５】
図１０（ｄ）は、表示部３０に図１０（ａ）に示す画像が表示され、かつ、現在の指示位置（カーソル位置）が左側の領域内に存在しているときに、ユーザが、電子機器５の本体を表示部３０に向かって真っ直ぐに小さく振り下ろした場合の表示部３０の表示例である。つまり、現在の指示位置が左側の領域内に存在しているときに、電子機器５の本体が表示部３０に向かって真っ直ぐに小さく振り下ろされた場合、電子機器５の描画情報生成部１４４は、左側の領域（左側の領域の中心位置）を中心とし、真っ直ぐ、かつ、小さな飛沫画像の描画情報を生成する。
【００９６】
図１０（ｅ）は、表示部３０に図１０（ａ）に示す画像が表示され、かつ、現在の指示位置（カーソル位置）が中央の領域内に存在しているときに、ユーザが、電子機器５の本体を表示部３０に向かって右斜上から左斜下に斜めに小さく振り下ろした場合の表示部３０の表示例である。つまり、現在の指示位置が中央の領域内に存在しているときに、電子機器５の本体が表示部３０に向かって右斜上から左斜下に斜めに小さく振り下ろした場合、電子機器５の描画情報生成部１４４は、中央の領域を中心とし、右斜上から左斜下への斜め方向、かつ、小さな飛沫画像の描画情報を生成する。なお、斜め方向の飛沫画像とは、飛沫画像情報記憶部１４８に記憶されている雛形を回転させた飛沫画像である。
【００９７】
図１０（ｆ）は、表示部３０に図１０（ａ）に示す画像が表示され、かつ、現在の指示位置（カーソル位置）が左側の領域内に存在しているときに、ユーザが、電子機器５の本体を表示部３０に向かって左斜上から右斜下に斜めに小さく振り下ろし、更に、現在の指示位置を右側の領域内に存在しているときに、右斜上から左斜下に斜めに小さく振り下ろした場合の表示部３０の表示例である。つまり、電子機器５の描画情報生成部１４４は、左側の領域を中心とし、左斜上から右斜下への斜め方向、かつ、小さな飛沫画像の描画情報を生成し、その後、右側の領域（右側の領域の中心位置）を中心とし、右斜上から左斜下への斜め方向、かつ、小さな飛沫画像の描画情報を生成する。
【００９８】
図１０（ｇ）は、表示部３０に図１０（ａ）に示す画像が表示され、かつ、現在の指示位置（カーソル位置）が中央の領域内に存在しているときに、ユーザが、電子機器５の本体を表示部３０に向かって真っ直ぐに大きく２回振り下ろした場合の表示部３０の表示例である。この場合、電子機器５の描画情報生成部１４４は、図１０（ｇ）に示すように、２回目の振り下ろし時の飛沫画像が１回目の振り下ろし時の飛沫画像と重ならないように、２回目の振り下ろし時の飛沫画像の描画情報を生成してもよい。
【００９９】
なお、図１０（ａ）に示す例では、横方向（左右方向）の３つの領域（左側領域、中央領域、右側領域）に表示部３０を分割したが、表示部３０を分割する領域はこれに限定されない。例えば、表示部３０を横方向ｎ分割、縦方向にｍ分割してもよい。
【０１００】
以上、第１の実施形態によれば、特定の者に限定して情報を提供することができるようになる。例えば、表示装置３において、図８（ａ）に示すように、視認用画像と非視認用画像とを表示すれば、不特定多数の者に視認用画像を見せつつ、非視認用画像を取得可能な電子機器５を所持する所持者に対してのみ、非視認用画像を提供することができるようになる。
【０１０１】
更に、第１の実施形態によれば、より楽しく、表示装置３の表示部３０に描画することができるようになる。つまり、本体を振るなど移動させて絵を描く場合に、本体の移動の軌跡に従った描画に加え、移動の軌跡に従わない画像を描画することができる。例えば、電子機器５を描画対象である表示装置３に向けて振り下ろせば、振り下ろしの軌跡とは無関係な飛沫画像を描画することができる。なお、移動の軌跡に従わない画像としては、飛沫画像の他、破かれた状態を表す画像、弾丸などによって穴が空いた様子を表す画像などが考えられる。
【０１０２】
なお、電子機器５の飛沫画像情報記憶部１４８は、複数種類の飛沫画像を描画するための描画情報の雛形を記憶してもよい。例えば、飛沫する液体の種類（例えば、水、墨汁、絵の具、ペンキ、血液）が異なる飛沫画像を描画するための描画情報の雛形を記憶してもよい。なお、表示・操作受付部１００を介してユーザが、表示装置３に描画する一の種類の飛沫画像を適宜選択してもよいが、描画アイテム（ペン、筆、ハケ）に応じて、表示装置３に描画する一の種類の飛沫画像が自動的に選択されるようにしてもよい。また、表示装置３に描画する一の種類の飛沫画像が、ランダムに選択されるようにしてもよい。
【０１０３】
また、電子機器５は、図５において破線にて示すように、電子機器５の本体と対象物との距離を測定する距離測定部１３０を更に備える構成としてもよい。距離測定部１３０は、表示装置３の表示部３０（表示面）迄の距離を測定した場合、測定した距離を示す距離情報を描画情報生成部１４４に出力する。なお、距離測定部１３０は、加速度センサ１２０と同様、描画モードに設定されている間において、表示部３０迄の距離を測定するようにしてもよい。
【０１０４】
電子機器５が距離測定部１３０を備える場合、距離測定部１３０から表示装置３の表示部３０迄の距離を示す距離情報を取得した描画情報生成部１４４は、当該距離情報を考慮して、接続中の表示装置３の表示部３０に表示させる描画情報を生成する。例えば、描画情報生成部１４４は、表示装置３の表示部３０に接近していればいるほど小さいサイズの描画情報を生成する。
【０１０５】
具体的には、描画情報生成部１４４は、移動量算出部１４２から表示部３０への接近方向以外の移動量情報を取得した場合、移動量情報から得られる電子機器５の本体の移動の軌跡に従った画像を描画するための描画情報であって、接続中の表示装置３の表示部３０における現在の指示位置を起点とし、かつ、表示装置３の表示部３０迄の距離に応じた大きさの描画情報を生成する。
【０１０６】
また、描画情報生成部１４４は、移動量算出部１４２から表示部３０への接近方向の移動量情報を取得した場合、接続中の表示装置３の表示部３０における現在の指示位置を中心とし表示装置３の表示部３０迄の距離に応じた大きさの飛沫画像、又は、接続中の表示装置３の表示部３０における現在の指示位置を中心とし上記接近方向の移動量（加速度）及び表示装置３の表示部３０迄の距離に応じた大きさの飛沫画像を描画する描画情報を生成する。
【０１０７】
（第２の実施形態）
続いて、図面を参照しながら第２の実施形態について説明する。図１（ｂ）は、第２の実施形態による画像表示システム２の概略構成図である。
【０１０８】
画像表示システム２は、図１（ｂ）に示すように、ネットワーク９を介して接続する、表示装置４、電子機器（撮像装置）５、及び、サーバ８から構成されている。なお、画像表示システム２を構成する電子機器５及びサーバ８は、画像表示システム１における電子機器５及びサーバ８と同様である。
【０１０９】
以下、画像表示システム１と異なる構成である表示装置４について説明する。表示装置４は、例えば、街頭（屋内又は屋外）に設置されるＬＥＤディスプレイである。表示装置４は、サーバ８から視認用画像及び非視認用画像を受信して表示する。また、表示装置４は、電子機器５から視認用画像を受信して表示する。なお、表示装置４が電子機器５から受信して表示する視認用画像は、電子機器５のユーザの操作に応じた画像である。電子機器５のユーザの操作に応じた画像とは、電子機器５の本体の移動の軌跡に従った画像、及び、飛沫画像である。
【０１１０】
図１１は、表示装置４の機能ブロック図の一例である。図１２は、表示装置４の表示部６０を構成する画素６１の模式図である。図１３は、表示装置４が生成する表示信号の一例である。
【０１１１】
表示装置４は、図１１に示すように、通信部４０、制御部５０、及び、表示部６０を備える。制御部５０は、変換部５２、タイミング制御部５４、振分部５６、及び、複数の駆動部５８（５８−１、…、５８−ｎ）を備える。
【０１１２】
まず、表示部６０の構造を説明する。なお、表示部６０の機能、動作などは後述する。
表示部６０は、可視光を照射する発光部（第１発光部という）と、不可視光を照射する発光部（第２発光部という）とを有する。具体的には、表示部６０は、図１１に示すように、複数の画素６１（６１−１−１、…、６１−ｎ−ｍ）から構成されている。表示部６０を構成する全部又は一部の画素６１は、赤色の発光ダイオード（第１発光部）と、緑色の発光ダイオード（第１発光部）と、青色の発光ダイオード（第１発光部）と、赤外線（不可視光の一例）の発光ダイオード（第２発光部）とから構成されている。例えば、図１１、図１２に示すように、画素６１−ｎ−ｍは、赤色の発光ダイオードであるＬＥＤｎ−ｍ−Ｒと、緑色の発光ダイオードであるＬＥＤｎ−ｍ−Ｇと、青色の発光ダイオードであるＬＥＤｎ−ｍ−Ｂと、赤外線の発光ダイオードであるＬＥＤｎ−ｍ−Ｉｒとから構成されている。なお、「表示部６０を構成する各画素６１は」ではなく「表示部６０を構成する全部又は一部の画素６１は」と説明したのは、表示部６０を構成する一部の画素６１が、第１発光部のみから構成されている場合、または、第２発光部のみから構成されている場合を許容する主旨である。
【０１１３】
なお、図１２に示す画素６１のレイアウトは、一例であって、画素６１の形状は４角形でなくてもよいし、１つの画素６１内における、赤色の発光ダイオード、緑色の発光ダイオード、青色の発光ダイオード、赤外線の発光ダイオードの構成比率は、１：１：１：１でなくてもよい。
【０１１４】
通信部４０は、画像表示システム１の表示装置３が備える通信部１０と同様、サーバ８又は電子機器５から種々の情報を受信する。即ち、例えば、通信部４０は、サーバ８から、視認用画像として報知画像、非視認用画像として自表示装置４に接続するための接続情報を示す接続画像を受信する。また例えば、通信部４０は、電子機器５から接続要求、切断要求を受信する。また例えば、通信部４０は、電子機器５から、視認用画像として、電子機器５の本体の移動の軌跡に従った画像を描画するための描画情報、及び、飛沫画像を描画するための描画情報を受信する。
【０１１５】
通信部４０は、サーバ８から視認用画像又は非視認用画像を受信した場合、当該視認用画像又は非視認用画像を変換部５２に出力する。また、通信部４０は、電子機器５から視認用画像を受信した場合、当該視認用画像を変換部５２に出力する。また、通信部４０は、電子機器５から接続要求を受信した場合、接続を許可するときは接続応答を電子機器５に送信する。また、通信部４０は、電子機器５から切断要求を受信した場合、切断応答を電子機器５に送信する。
【０１１６】
変換部５２は、通信部４０から視認用画像及び非視認用画像を取得する。視認用画像及び非視認用画像を取得した変換部５２は、第１発光部（赤色の発光ダイオード、緑色の発光ダイオード、青色の発光ダイオード）に視認用画像を表示させ、第２発光部（赤外線の発光ダイオード）に非視認用画像を表示させる表示信号（表示部６０への出力信号）を生成する。具体的には、変換部５２は、タイミング制御部５４の制御に従って、視認用画像を表現した表示信号を、第１発光部を用いて表示させる表示信号（以下、ＲＢＧ用表示信号とも称する）とし、非視認用画像を表現した表示信号を、第２発光部を用いて表示させる表示信号（以下、Ｉｒ用表示信号とも称する）とする、表示信号を生成する。
【０１１７】
例えば、変換部５２は、図１３に示すように、３０分の１秒毎の６０分の１秒間のＲＧＢ用表示信号（ＣＮ：Ｎ＝１、…Ｋ）を、視認用画像を表現した表示信号とし、３０分の１秒毎の他の６０分の１秒間の表示信号（ＤＮ：Ｎ＝１、…Ｋ）を、非視認用画像を表現する表示信号とする、表示信号を生成する。図１３において、３０分の１秒は、１フレームの時間の一例である。Ｃ１、…、Ｃｋの夫々は、視認用画像の１コマ分の表示信号である。Ｄ１、…、Ｄｋの夫々は、非視認用画像の１コマ分の表示信号である。また、Ｂ１、…、Ｂｋの時間は、第１の実施形態におけるブランク期間に相当する時間である。つまり、図１３の例では、ブランク期間に相当する全時間をＩｒ用表示信号の時間としている。
但し、ブランク期間に相当する全時間をＩｒ用表示信号の時間としなくてもよい（ブランク期間に相当する時間の一部をＩｒ用表示信号の時間としてもよい）。変換部５２は、生成した表示信号を振分部５６に出力する。
【０１１８】
なお、図１３に示す例は、変換部５２が視認用画像と非視認用画像の両方を通信部４０から取得した場合の表示信号を示しているが、変換部５２は、視認用画像のみを取得した場合には、視認用画像を表現した表示信号のみを生成し、非視認用画像のみを取得した場合には、非視認用画像を表現した表示信号のみを生成する。なお、常に、非視認用画像を表現した表示信号のみを生成する場合には、画素６１は、赤外線の発光ダイオード（第２発光部）のみから構成されていてもよい。
【０１１９】
なお、上述の如く、変換部５２は、視認用画像を表現した表示信号を、ＲＢＧ用表示信号とし、非視認用画像を表現した表示信号を、Ｉｒ用表示信号とするが、ＲＢＧ用表示信号に視認用画像を表現した表示信号を割り当て、Ｉｒ用表示信号に非視認用画像を表現した表示信号を割り当てる制御には、種々の方法が考えられる。一例は、非視認用画像に非視認用画像である旨の識別情報を付加しておけば、変換部５２は、通信部４０から取得した画像が非視認用画像であるか否かを判別できるため、タイミング制御部５４の制御（Ｉｒ用表示信号のタイミング）に従って、視認用画像を表現した表示信号を、ＲＢＧ用表示信号とし、非視認用画像を表現した表示信号を、Ｉｒ用表示信号とすることができる。
【０１２０】
タイミング制御部５４は、変換部５２による視認用画像を表現する表示信号及び非視認用画像を表現する表示信号の生成タイミングを制御する。具体的には、タイミング制御部５４は、視認用画像を表現した表示信号をＲＢＧ用表示信号とし、非視認用画像を表現した表示信号をＩｒ用表示信号とするためのタイミング情報を変換部５２に出力し、上記生成タイミングを制御する。例えば、タイミング制御部５４が、３０分の１秒毎の先頭から開始する６０分の１秒間の表示信号を、視認用画像を表現するＲＢＧ用表示信号とし、３０分の１秒毎の６０分の１秒から開始する６０分の１秒間の表示信号を、非視認用画像を表現するＩｒ用表示信号とするためのタイミング情報を変換部５２に出力した場合、変換部５２は、図１３に示すような表示信号を生成する。
【０１２１】
振分部５６は、シフトレジスタであって、変換部５２から表示信号を取得し、変換部５２から取得した表示信号を各駆動部５８に振り分けて出力する。つまり、振分部５６は、各画素６１に出力すべき表示信号を、各画素６１を駆動させる各駆動部５８に振り分けて出力する。図１１に示す例では、振分部５６は、画素６１−１−１〜画素６１−１−ｍに出力すべき表示信号を駆動部５８−１に出力し、…、画素６１−ｎ−１〜画素６１−ｎ−ｍに出力すべき表示信号を駆動部５８−ｎに出力する。
【０１２２】
各駆動部５８は、表示部６０を制御するドライバＩＣであって、表示部６０が備える各画素６１を駆動する。具体的には、各駆動部５８は、夫々の出力先の各画素６１を構成する第１発光部に振分部５６から取得したＲＧＢ用表示信号を出力し、夫々の出力先の各画素６１を構成する第２発光部に振分部５６から取得したＩｒ用表示信号を出力する。図１１に示す例では、駆動部５８−１は、画素６１−１−１〜画素６１−１−ｍの各画素６１を構成する第１発光部にＲＧＢ用表示信号を出力し、画素６１−１−１〜画素６１−１−ｍの各画素６１を構成する第２発光部にＩｒ用表示信号を出力し、…、駆動部５８−ｎは、画素６１−ｎ−１〜画素６１−ｎ−ｍの各画素６１を構成する第１発光部にＲＧＢ用表示信号を出力し、画素６１−ｎ−１〜画素６１−ｎ−ｍの各画素６１を構成する第２発光部にＩｒ用表示信号を出力する。
【０１２３】
なお、上述の如く、各駆動部５８は、第１発光部にＲＧＢ用表示信号を出力し、第２発光部にＩｒ用表示信号を出力するが、第１発光部にＲＧＢ用表示信号を割り振り、第２発光部にＩｒ用表示信号を割り振る制御には、種々の方法が考えられる。一例は、同期を用いた方法である。具体的には、例えば、タイミング制御部５４が、タイミング情報（例えば視認用画像用のタイミング情報）を各駆動部５８に出力しておけば、各駆動部５８は、当該タイミング情報に基づいて、第１発光部にＲＧＢ用表示信号を出力し、第２発光部にＩｒ用表示信号を出力することができる。他の一例は、表示信号に制御情報を付加する方法である。具体的には、変換部５２が、割振先を判断するための判断信号をＲＧＢ用表示信号に付加し、振分部５６による各駆動部５８への振分後の各表示信号においても当該判断信号が残るようにしておけば、各駆動部５８は、当該判断信号に基づいて、第１発光部にＲＧＢ用表示信号を出力し、第２発光部にＩｒ用表示信号を出力することができる。
【０１２４】
表示部６０は、複数の画素６１を用いて、サーバ８又は電子機器５から送信された視認用画像又は非視認用画像を表示する。つまり、表示部６０が備える各画素６１は、各駆動部５８から、視認用画像を表現する表示信号（ＲＧＢ用表示信号）、又は、非視認用画像を表現する表示信号（Ｉｒ用表示信号）を取得し、表示信号に応じて発光する。
【０１２５】
例えば、表示部６０は、図４（ａ）に示すように、サーバ８から送信された天気予報画像を視認用画像として表示する。また例えば、表示部６０は、図４（ｂ）〜（ｅ）に示すように、サーバ８から送信された接続画像である二次元バーコードを非視認用画像として表示する。但し、上述したように、非視認用画像は、不可視光を照射する発光部（第２発光部）を用いて表示されるため、目視では非視認用画像である二次元バーコードを認識することができない。
【０１２６】
また例えば、表示部６０は、図４（ｆ）に示すように、電子機器５から送信された電子機器５の本体の移動の軌跡に従った画像を視認用画像として表示する。また例えば、表示部６０は、図４（ｇ）（ｈ）、及び、図１０（ｃ）〜図１０（ｇ）に示すように、電子機器５から送信された飛沫画像を視認用画像として表示する。
【０１２７】
図１４は、電子機器５による表示部６０の撮像に関する説明図である。具体的には、図１４は、図１３に示すように、視認用画像を表現する表示信号をＲＧＢ用表示信号とし、非視認用画像を表現する表示信号をＩｒ用表示信号とする、表示信号を生成した場合における、電子機器５による表示部６０の撮像に関する説明図である。
【０１２８】
電子機器５の撮像部１１０は、図１４（ａ）に示すような表示信号に基づく画像（視認用画像である天気予報画像、及び、非視認用画像である二次元バーコード）を表示中の表示装置４の表示部６０を連写したときは、図１４（ｂ）又は図１４（ｃ）に示すような４枚の撮像画像を表示・操作受付部１００に出力する。即ち、表示部６０における天気予報画像及び二次元バーコードの表示タイミング、並びに、撮像部１１０における露光タイミングから、例えば、連写Ｒでは、図１４（ｂ）に示すように、天気予報画像が１枚目の撮像画像Ｒ１において撮像され、天気予報画像及び二次元バーコードが２枚目の撮像画像Ｒ２、及び、４枚目の撮像画像Ｒ４において撮像され、二次元バーコードが３枚目の撮像画像Ｒ３において撮像される。また、連写Ｓでは、図１４（ｃ）に示すように、二次元バーコードが１枚目の撮像画像Ｓ１、及び、２枚目の撮像画像Ｓ２において撮像され、天気予報画像が３枚目の撮像画像Ｓ３、及び、４枚目の撮像画像Ｓ４において撮像される。
【０１２９】
つまり、電子機器５を用いて表示部６０を連写することによって、目視では認識不要な非視認用画像を認識することができるようになる。より詳細には、表示部６０における視認用画像及び非視認用画像の表示タイミング、並びに、撮像部１１０における露光タイミングを適切に設定すれば、連写された複数枚の撮像画像のうちの少なくも１枚は、非視認用画像のみを撮像した撮像画像（上述の撮像画像Ｒ３、撮像画像Ｓ１、撮像画像Ｓ２）になるため、非視認用画像を確実に（即ち、視認用画像と重畳することなく）認識することができるようになる。つまり、電子機器５は、表示装置４への接続情報を得ることができるようになる。
【０１３０】
連写された複数枚の撮像画像のうちの少なくも１枚が、非視認用画像のみを撮像した撮像画像となるような設定について説明する。例えば、表示装置４において、第１の実施形態におけるブランク期間に相当する期間の真中を中心とする時間にＩｒ用表示信号を設定した場合、電子機器５において、上記ブランク期間に相当する期間の半分以下の時間となるように各露光時間を設定し、各露光時間の合計が１フレームの時間以上となるように連写枚数を設定すればよい。例えば、図１４（ａ）に示す例では、表示装置４において、上記ブランク期間に相当する期間全体にＩｒ用表示信号を設定しているため、電子機器５において、各露光時間を１２０分の１秒に設定し、連写枚数４枚を設定している。
【０１３１】
図１５は、表示装置４が生成する表示信号の他の例である。変換部５２は、図１３に示すように、視認用画像を表現する表示信号をＲＧＢ用表示信号とし、非視認用画像を表現する表示信号をＩｒ用表示信号とする、表示信号を生成することに代えて、図１５に示すように、視認用画像を表現する表示信号及び非視認用画像を表現する表示信号をＲＧＢ用表示信号とし、非視認用画像を表現する表示信号をＩｒ用表示信号とする、表示信号を生成してもよい。つまり、タイミング制御部５４は、視認用画像を表現した表示信号及び非視認用画像を表現する表示信号をＲＢＧ用表示信号とし、非視認用画像を表現した表示信号をＩｒ用表示信号とするためのタイミング情報を変換部５２に出力してもよい。
【０１３２】
図１６は、電子機器５による表示部６０の撮像に関する説明図である。具体的には、図１６は、図１５に示すように、視認用画像を表現する表示信号及び非視認用画像を表現する表示信号をＲＧＢ用表示信号とし、非視認用画像を表現する表示信号をＩｒ用表示信号とする、表示信号を生成した場合における、電子機器５による表示部６０の撮像に関する説明図である。
【０１３３】
電子機器５の撮像部１１０は、図１６（ａ）に示すような表示信号に基づく画像（視認用画像である天気予報画像、及び、非視認用画像である二次元バーコード）を表示中の表示装置４の表示部６０を連写したときは、図１６（ｂ）又は図１６（ｃ）に示すような４枚の撮像画像を表示・操作受付部１００に出力する。即ち、表示部６０における天気予報画像及び二次元バーコードの表示タイミング、並びに、撮像部１１０における露光タイミングから、例えば、連写Ｔでは、図１６（ｂ）に示すように、天気予報画像及び二次元バーコードが１枚目の撮像画像Ｔ１、２枚目の撮像画像Ｔ２、及び、４枚目の撮像画像Ｔ４において撮像され、二次元バーコードが３枚目の撮像画像Ｔ３において撮像される。また、連写Ｕでは、図１６（ｃ）に示すように、二次元バーコードが１枚目の撮像画像Ｕ１、及び、２枚目の撮像画像Ｕ２において撮像され、天気予報画像及び二次元バーコードが３枚目の撮像画像Ｕ３、及び、４枚目の撮像画像Ｕ４において撮像される。
【０１３４】
つまり、視認用画像を表現する表示信号及び非視認用画像を表現する表示信号をＲＧＢ用表示信号とし、非視認用画像を表現する表示信号をＩｒ用表示信号とする、表示信号を生成した場合であっても、電子機器５を用いて表示部６０を連写することによって、目視では認識不要な非視認用画像を認識することができるようになる。より詳細には、表示部６０における視認用画像及び非視認用画像の表示タイミング、並びに、撮像部１１０における露光タイミングを適切に設定すれば、連写された複数枚の撮像画像のうちの少なくも１枚は、非視認用画像のみを撮像した撮像画像（上述の撮像画像Ｔ３、撮像画像Ｕ１、撮像画像Ｕ２）になるため、非視認用画像を確実に（即ち、視認用画像と重畳することなく）認識することができるようになる。つまり、電子機器５は、表示装置４への接続情報を得ることができるようになる。
【０１３５】
なお、画像表示システム２の処理の流れは、図７〜図９を用いて説明した実施形態１の画像表示システム１の処理の流れと基本的に同一である。つまり、実施形態１の表示装置３は、人間の視覚が応答可能な長さを有しない時間（第２表示期間）に非視認用画像を表示するのに対し、実施形態２の表示装置４は、不可視光を照射する発光部（第２発光部）を用いて非視認用画像を表示するなど表示装置内の動作は異なるが、図７〜図９に示すような装置間（表示装置３と電子機器５の間）の処理の流れは、画像表示システム１と同様である。
【０１３６】
以上、第２の実施形態によれば、第１の実施形態と同様の効果を得ることができる。
【０１３７】
なお、第１の実施形態において、表示装置３が、図８（ａ）に示すように、視認用画像と非視認用画像とを表示している場合（第２の実施形態において、表示装置４が視認用画像と非視認用画像とを表示している場合も同様）、視認用画像の一部の領域に非視認用画像も表示している旨を表示してもよい。これにより、電子機器５によって実際に撮像する前に、視認用画像とともに非視認用画像も表示されることを確認することができるようになる。
【０１３８】
また、第１の実施形態において、図１（ａ）に示すように、表示装置３とサーバ８とは別体として説明したが、表示装置３とサーバ８とは一体的に構成（１システムとして同一の場所に設置する構成も含む）してもよい。第２の実施形態における表示装置４とサーバ８についても同様である。
【０１３９】
また、第１の実施形態において、電子機器５と接続した表示装置３は、図７に示すように、当該電子機器５から描画情報を受信すると説明したが、電子機器５と接続した表示装置３が受信する情報は描画情報に限定されない。第２の実施形態の表示装置４も同様である。
同様に、第１の実施形態において、表示装置３と接続した電子機器５は、図７に示すように、当該表示装置３に描画情報を送信すると説明したが、表示装置３と接続した電子機器５が送信する情報は描画情報に限定されない。電子機器５は、描画情報を送信しないときは描画モードに移行しなくてもよい。第２の実施形態の表示装置４と接続する電子機器５も同様である。
【０１４０】
（応用例１）
電子機器５は、表示装置３（表示装置４も同様。以下、同様）に接続後、視認用画像として広告（動画（ＣＭ）、静止画、文字情報）を、非視認用画像として当該表示装置３以外の接続先への接続情報を示す接続画像を、直接又はサーバ（サーバ８とは異なるサーバであってもよい）を介して、表示装置３に送信する。つまり、非視認用画像に着目すれば、表示装置３には、最初、サーバ８から受信した自装置（表示装置）３への接続情報を示す接続画像（非視認用画像）が表示され、電子機器５による自装置３への接続が開始されると、自装置３以外の接続先への接続情報を示す接続画像（非視認用画像）が表示される。換言すれば、表示装置３は、電子機器５と未接続のときは自装置３に接続するための接続画像を非視認表示し、電子機器５と接続中のときは自装置３以外に接続するための接続画像を非視認表示するように、表示を切り替える。
【０１４１】
また、表示装置３は、誰かの電子機器５と接続した場合、自装置３以外に接続するための接続画像として、サーバ８に接続するための接続画像を非視認表示してもよいし、当該誰かによって指定された接続先（例えば、ウェブサイト）に接続するための接続画像を非視認表示してもよい。
【０１４２】
例えば、以下のように利用できる。表示装置３（例えば、屋外の大型画面）は、電子機器５と未接続のときは、自装置３に接続するための接続画像を非視認表示する。Ｎ社の営業マンＡが、電子機器５（例えば、スマートフォン。以下、同様）で表示装置３を撮影すると、Ａの電子機器５は、表示装置３に接続する。
続いて、Ａの電子機器５は、Ａの操作に応じて（又は、表示装置３との接続を条件として自動的に）、視認用画像としてＮ社の商品（又は役務。以下同様）の広告と、非視認用画像として当該商品に関する情報を掲載（保持、以下、同様）したウェブページ（サイト）に接続するための接続画像を、当該商品に関する情報を保持するサーバ（例えば、Ｎ社のサーバ）を介して、表示装置３に送信する。
つまり、上記場合、表示装置３以外の接続先は、当該表示装置３によって宣伝（広告）を行う団体（Ｎ社、Ｎ社の代理店等）のサーバである。また、上記団体のサーバは、視認用画像（広告）と非視認用画像（接続画像）とを区別して表示装置３へ送信している。なお、商品に関する情報とは、仕様、特徴、キャンペーン情報などである。
【０１４３】
続いて、表示装置３に表示中のＮ社の商品の広告を見たユーザＢが、電子機器５で当該広告を撮影すると、Ｂの電子機器５は、当該商品に関する情報を掲載したウェブページに接続するための接続画像を取得し、当該ウェブページに接続し、当該商品に関する情報を当該ウェブページから受信して表示する。
【０１４４】
なお、表示装置３の所有者（会社）は、Ｎ社に対し、表示装置３の利用時間に応じた課金を行ってもよい。なお、表示装置３の所有者は、表示装置３が、Ａの電子機器５が送信する自機器（電子機器）５の識別情報（ＩＤ、電話番号等）を受信することによって、営業マンＡ（Ｎ社）を特定してもよい。また、表示装置３の所有者は、例えば、Ａの電子機器５に対し、表示装置３が接続応答（図７参照）を送信してから切断応答（図７参照）を送信するまでの時間を営業マンＡ（Ｎ社）による表示装置３の利用時間としてもよい。
【０１４５】
なお、表示装置３は、複数の商品の広告（例えば、商品画像）を視認用画像するとともに、各商品に関する情報を掲載した各ウェブページに接続するための夫々の接続画像を各広告の表示領域に非視認表示してもよい。表示装置３が、複数の商品の広告を視認表示し、夫々の接続画像を非視認表示する場合、ユーザは、表示中の複数の商品の広告のなかに興味を引く広告を見つけたときは、その広告を電子機器５のカメラで撮影すれば、電子機器５が、その広告の表示領域に非視認表示されている接続画像を取得するため、ユーザは、電子機器５上にて、その商品に関する情報を見ることができる。
【０１４６】
また、他の商品（主に広告主が同一の他の商品）の宣伝を目的として、表示装置３に、広告の商品に関する情報を掲載したウェブページに接続するための接続画像を非視認表示させるのではなく、広告の商品とは異なる商品に関する情報を掲載したウェブページに接続するための接続画像を非視認表示させてもよい。
【０１４７】
また、表示装置３以外の接続先は、商品を宣伝するウェブページに限定しない。例えば、商品を販売するウェブページ（宣伝且つ販売するウェブページを含む）であってもよい。例えば、表示装置３をネット通販会社が使用する場合、表示装置３に、通販商品の商品画像やＣＭを視認表示させるとともに、購入画面に接続するための接続画像を非視認表示させてもよい。ユーザは、電子機器５のカメラで、購入したい商品画像（ＣＭ）を撮影すれば、電子機器５に購入したい商品の購入画面が表示される。
【０１４８】
なお、表示装置３にて広告する商品は、特に限定するものではなく、例えば、カメラ、車、洋服、食品、コンテンツ、サービス（旅行会社、スポーツジム）など広く適用される。また、表示装置３において、会社、学校、病院、機関、観光地、商店街などを宣伝してもよい（以下、同様）。
【０１４９】
例えば、表示装置３に、ゲームソフトの広告（例えば、デモ画面）を視認表示させるとともに、当該ゲームソフトのダウンロードサイトに接続するための接続画像を非視認表示させてもよい。ユーザが、所望のゲームソフトの広告を電子機器５のカメラで撮影すれば、電子機器５は、当該ゲームソフトのダウンロードサイトに接続する。なお、ダウンロードサイトからゲームソフトをダウンロードした者に対し課金してもよい。
なお、表示装置３の一部（例えば、画面の下から１／５の部分）に広告主の広告を表示させておき、広告が表示されていない部分を、自由に使える表示装置としてユーザに利用させるようにしてもよい。ユーザが表示装置３を利用する方法は、上述した方法でよい。表示装置３の利用料金は、広告主が支払うようにすると、ユーザは無料で表示装置３を利用することができる。
【０１５０】
また、同様に、表示装置３に、楽曲のプロモーションビデオを視認表示させるとともに、当該楽曲の着信メロディをダウンロードサイトに接続するための接続画像を非視認表示させてもよい。ユーザが、楽曲のプロモーションビデオを電子機器５のカメラで撮影すれば、電子機器５は、当該楽曲の着信メロディのダウンロードサイトに接続する。なお、ダウンロードサイトから着信メロディをダウンロードした者に対し課金してもよい。また、楽曲の他に、予告、サンプル動画を表示装置３に表示させておき、撮影すると、映画、ドラマ、アニメのダウンロードができるようにしてもよい。
【０１５１】
なお、表示装置３は、所定位置に常に存在するものではなく、車両（例えば、宣伝トラック）に搭載され、移動するものであってもよい。
【０１５２】
また、第１の実施形態において、表示装置３は、電子機器５と接続すると説明したが、電子機器５と接続しなくてもよい。具体的には、表示装置３は、自装置３に接続するための接続画像をサーバ８から受信して非視認表示したが、自装置３以外に接続するための接続画像をサーバ８から受信して非視認表示してもよい。第２の実施形態の表示装置４も同様である。
【０１５３】
（応用例２）
応用例１は、誰かの電子機器５が表示装置３に接続し、当該電子機器５の制御によって、表示装置３に広告が視認表示されるとともに接続画像が非視認表示される態様であったが、応用例２では、電子機器５を介さずに、表示装置３に広告が視認表示されるとともに接続画像が非視認表示される。換言すれば、応用例１では、表示装置３が広告を表示する迄の間に電子機器５が介在したが、応用例２では、表示装置３が広告を表示する迄の間は電子機器５が介在しない。つまり、接続画像による接続先は、当該表示装置３によって宣伝（広告）を行う団体のサーバのみである。
【０１５４】
応用例２の場合、宣伝（広告）を希望する会社（人）は、表示装置３（例えば、屋外の大型画面等）のある場所に出向く必要はなく、表示装置３のある場所から離れた場所（例えば、職場）からインターネット等で、表示装置３の所有者に表示装置３の利用を申し込めばよい。宣伝を希望する会社は、所有者の許可後、応用例１において表示装置３と接続した電子機器５が表示装置３に送信する情報（視認用画像である広告、非視認用画像である接続画像）を所有者に送信する。続いて、所有者は、サーバ８を介して、宣伝を希望する会社から受信した情報を表示装置３に送信する。以上により、表示装置３は、自装置３に電子機器５と接続することなく、広告を視認表示し、自装置３以外に接続するための接続画像を非視認表示する。表示装置３が、広告を視認表示し、自装置３以外に接続するための接続画像を非視認表示した後の動きは応用例１と同様である。
なお、宣伝を希望する会社は、例えば、所有者の許可時に、所有者からサーバ８にアクセスするための情報（ＩＤ、パスワード等）を取得し、自ら、広告と接続画像とを表示装置３に送信してもよい。
【０１５５】
なお、表示装置３による広告内容（広告主、商品）は、時間毎に変わるようにしてもよい。例えば、ＴＶのＣＭ枠のように、各広告枠に複数の広告を設定し、表示装置３に、各広告枠内において各広告枠に設定した広告を順番に表示させてもよい。
【０１５６】
また、駅構内や繁華街のビルの壁面等に、複数の表示装置３を並べて設置してもよい。複数の表示装置３を並べて設置する場合、夫々の表示装置３による広告内容が異なるようにしてもよい。
【０１５７】
応用例１、２によれば、表示装置３の設置場所限定のタイムセールの実施、設置場所限定（例えば、ある商店街限定）の割引クーポンの発行も可能になる。例えば、表示装置３は、商店街の入口、出口等に設置し、割引クーポンの対象商品の画像を視認表示させるとともに、割引クーポン発行サーバに接続するための接続画像を非視認表示させておく。消費者は、商品画像を電子機器５のカメラで撮影すれば、割引クーポン発行サーバから当該商品の割引クーポン画像を取得することができる。
【０１５８】
（応用例３）
応用例１、２は、営業又は広告を含むマーケティングに表示装置３を活用する態様であったが、応用例３では、地図情報の提供に表示装置３を活用する。例えば、幕張メッセのような広い会場で開催される展示会において、出展者（企業）の展示ブースの位置を来場者に教えるために表示装置３を用いる。
【０１５９】
例えば、展示会場内に設置された表示装置３は、各出展者のロゴ（又は、各出展者のロゴ＋各出展者の展示ブースのおおよその位置を指す情報（例えば、矢印））を視認表示するとともに、当該表示装置３の設置位置から当該出展者の出展ブースまでを案内する地図情報を掲載したウェブページに接続するための接続画像を非視認表示する。来場者が、表示装置３に表示されている出展者のロゴを電子機器５のカメラで撮影すれば、電子機器５は、当該出展者の出展ブースまでを案内する地図情報を表示する。なお、上記案内（出展ブースまでのルート案内）は、表示装置３の設置位置が固定されているため可能になる。展示会場内の異なる複数の場所に表示装置３を設置してもよい。
【０１６０】
同様に、地下街、デパート内、観光地などの案内にも表示装置３を活用してもよい。なお、表示装置３による上述のような案内は、地下街、デパート内のように、ＧＰＳの電波を受信できない場所（若しくは、受信しにくい場所）において特に有用である。
【０１６１】
（応用例４）
また、表示装置３を他者とのコミュニュケーションツールとして活用してもよい。例えば、個人の趣味の発表の場として、表示装置３を活用する。表示装置３は、自装置３に接続するための接続画像を非視認表示する。なお、表示装置３は、自装置３に接続するための接続画像とともに、何からの画像（例えば、自装置３への接続の仕方を説明する情報）を視認表示してもよい。
【０１６２】
個人Ｃが、電子機器５で表示装置３を撮影すると、Ｃの電子機器５は、表示装置３に接続する。続いて、Ｃの電子機器５は、Ｃの操作に応じて、Ｃが撮影（又は制作）したコンテンツ（例えば、静止画、動画）、Ｃのメールアドレスの接続画像（Ｃのメールアドレスに基づいて生成した二次元バーコード）を表示装置３に送信する。表示装置３は、Ｃのコンテンツを視認表示するとともに、Ｃのメールアドレスの接続画像を非視認表示する。表示装置３に表示中のＣのコンテンツを見たユーザＤが、電子機器５で当該コンテンツを撮影すると、Ｄの電子機器５は、Ｃへのメール送信画面を表示する。Ｄは、Ｃのコンテンツに対するコメントを電子メールにより送信する。
【０１６３】
また、Ｃの電子機器５は、Ｃのメールアドレスの接続画像に代えて、Ｃに対するコメントを投稿するための電子掲示板のウェブページに接続するための接続画像を表示装置３に送信してもよい。当該場合、Ｄの電子機器５は、Ｃへのメール送信画面に代えて、Ｃに対するコメントを投稿するための電子掲示板を表示する。
【０１６４】
なお、各応用例において説明した表示装置３以外に接続するための接続画像は、予め、元となる情報（例えば、接続先のウェブページのＵＲＬ）を二次元バーコード化することによって生成し、記憶しておいてもよい。表示装置３が自装置３以外に接続するための接続画像を外部（サーバ８、電子機器５等）から受信して非視認表示する態様では、外部に当該接続画像を記憶してもよい。自装置３に接続するための接続画像についても同様である。
また、各応用例において、電子機器５から表示装置３（表示装置４）へ画像等を送信する際に、図９（ｃ）のような身体動作によって、送信を実行するようにしてもよい。
【０１６５】
以上、この発明の実施形態について図面を参照して詳述してきたが、具体的な構成はこの実施形態に限られるものではなく、この発明の要旨を逸脱しない範囲の設計等も含まれる。
【符号の説明】
【０１６６】
１、２…画像表示システム、３、４…表示装置、５…電子機器（撮像装置）、８…サーバ、９…ネットワーク、１０、４０…通信部、２０、５０…制御部、２２、５２…変換部、２４、５４…タイミング制御部、２６、５６…振分部、２８、５８…駆動部、３０、６０…表示部、３１、６１…画素、１００…表示・操作受付部、１１０…撮像部、１２０…加速度センサ、１３０…距離測定部、１４０…描画制御部、１４２…移動量算出部、１４４…描画情報生成部、１４６…現在位置記憶部、１４８…飛沫画像情報記憶部、１５０…通信部
【図１】
2012155318.tif 000003
【図２】
2012155318.tif 000004
【図３】
2012155318.tif 000005
【図４】
2012155318.tif 000006
【図５】
2012155318.tif 000007
【図６】
2012155318.tif 000008
【図７】
2012155318.tif 000009
【図８】
2012155318.tif 000010
【図９】
2012155318.tif 000011
【図１０】
2012155318.tif 000012
【図１１】
2012155318.tif 000013
【図１２】
2012155318.tif 000014
【図１３】
2012155318.tif 000015
【図１４】
2012155318.tif 000016
【図１５】
2012155318.tif 000017
【図１６】
2012155318.tif 000018